(57)【要約】【課題】スリットを小さな力で開いてワイヤーハーネスの出し入れが容易にできる電線保護用の外装材を提供する。【解決手段】周方向の一部に開口１５ａを有するＣ環状の細幅薄板状の保護壁１１を、開口の位置を揃えて一定間隔で多数配列すると共に、隣接する保護壁間を、開口と反対側の位置に配した薄板状の連結壁１２により連結し、それにより、連結壁で連結された部分を背骨相当部Ｓ、多数配列された保護壁を肋骨相当部、開口の列をスリット１５とする骨格形状に構成した。隣接する保護壁を、開口を挟む両端の近傍に配した、背骨相当部を構成する連結壁とは別の連結壁１３により連結した。コルゲートチューブの山部Ｙで保護壁を構成し、谷部Ｔの不要部分を窓部１４の形成のために削除した残りの部分で連結壁１２、１３を構成した。【選択図】図１
2009017683.tif 000002
【特許請求の範囲】
【請求項１】
周方向の一部に開口を有するＣ環状の細幅薄板状の保護壁を、前記開口の位置を揃えて一定間隔で多数配列すると共に、隣接する前記保護壁間を、前記開口と反対側の位置に配した薄板状の連結壁により連結し、それにより、前記連結壁で連結された部分を背骨相当部、前記多数配列された保護壁を肋骨相当部、前記開口の列をスリットとする骨格形状に構成したことを特徴とする電線保護用の外装材。
【請求項２】
請求項１に記載の電線保護用の外装材であって、
前記隣接する保護壁を、前記開口を挟む両端の近傍に配した、前記背骨相当部を構成する連結壁とは別の連結壁により連結したことを特徴とする電線保護用の外装材。
【請求項３】
請求項１または２に記載の電線保護用の外装材であって、
前記各保護壁を、幅方向の中央部が外方に凸となった断面山形または外方に凸の断面矩形に形成したことを特徴とする電線保護用の外装材。
【請求項４】
請求項３に記載の電線保護用の外装材であって、
前記スリットを構成する断面山形または断面矩形の保護壁の開口を、外周側が内周側より大きく開いた拡開形状に形成したことを特徴とする電線保護用の外装材。
【請求項５】
請求項３または４に記載の電線保護用の外装材であって、
山部と谷部とが交互に長さ方向に連続して設けられると共に、周方向の一部に、長さ方向に連続したスリットが設けられたスリット付きコルゲートチューブの前記山部で前記保護壁を構成し、前記谷部の不要部分を窓部の形成のために削除した残りの部分で前記連結壁を構成したことを特徴とする電線保護用の外装材。
【発明の詳細な説明】
【技術分野】
【０００１】
本発明は、ワイヤーハーネスの外周に装着されることで、ワイヤーハーネスを保護する電線保護用の外装材に関するものである。
【背景技術】
【０００２】
自動車用ワイヤーハーネスを保護するための外装体として、図５に示すように、山部Ｙと谷部Ｔとが交互に長さ方向に連続して設けられた合成樹脂製のコルゲートチューブ１１０が知られている。このコルゲートチューブ１１０は、周方向の一部に長さ方向に連続したスリット１１５が設けられており、そのスリット１１５を通して、ワイヤーハーネスをコルゲートチューブ１１０の内部に挿入したり、ワイヤーハーネスからコルゲートチューブを取り外したりすることができるようになっている。
【０００３】
また、この種のコルゲートチューブにおいて、軽量化や減量化のために、山部と谷部を繋ぐ斜面に孔を設けたものも知られている（例えば、特許文献１参照）。
【特許文献１】２０００−２６１９３２号公報
【発明の開示】
【発明が解決しようとする課題】
【０００４】
ところで、従来のコルゲートチューブは、軽量化などのために多少の孔を設けたものはあるにせよ、山部と谷部が全て連続した合成樹脂シートの壁で構成されているため、スリットを開くのに大きな力を要し、スリットを通してワイヤーハーネスを出し入れする際の作業性が悪いという問題があった。また、出し入れ作業中にスリットでワイヤーハーネスを噛み込んでしまい、電線を傷つけたりするおそれもあった。
【０００５】
本発明は、上記事情を考慮し、スリットを小さな力で開くことができ、ワイヤーハーネスの出し入れが容易にできると共に、電線の噛み込みも無くすことのできる電線保護用の外装材（外装体）を提供することを目的とする。
【課題を解決するための手段】
【０００６】
請求項１の発明の電線保護用の外装材は、周方向の一部に開口を有するＣ環状の細幅薄板状の保護壁を、前記開口の位置を揃えて一定間隔で多数配列すると共に、隣接する前記保護壁間を、前記開口と反対側の位置に配した薄板状の連結壁により連結し、それにより、前記連結壁で連結された部分を背骨相当部、前記多数配列された保護壁を肋骨相当部、前記開口の列をスリットとする骨格形状に構成したことを特徴とする。
【０００７】
請求項２の発明は、請求項１に記載の電線保護用の外装材であって、前記隣接する保護壁を、前記開口を挟む両端の近傍に配した、前記背骨相当部を構成する連結壁とは別の連結壁により連結したことを特徴とする。
【０００８】
請求項３の発明は、請求項１または２に記載の電線保護用の外装材であって、前記各保護壁を、幅方向の中央部が外方に凸となった断面山形または外方に凸の断面矩形に形成したことを特徴とする。
【０００９】
請求項４の発明は、請求項３に記載の電線保護用の外装材であって、前記スリットを構成する断面山形または断面矩形の保護壁の開口を、外周側が内周側より大きく開いた拡開形状に形成したことを特徴とする。
【００１０】
請求項５の発明は、請求項３または４に記載の電線保護用の外装材であって、山部と谷部とが交互に長さ方向に連続して設けられると共に、周方向の一部に、長さ方向に連続したスリットが設けられたスリット付きコルゲートチューブの前記山部で前記保護壁を構成し、前記谷部の不要部分を窓部の形成のために削除した残りの部分で前記連結壁を構成したことを特徴とする。
【発明の効果】
【００１１】
請求項１の発明の外装体によれば、多数の保護壁は、隣り合うもの同士の間に間隔を保って配されていることで、背骨相当部以外ではあまり拘束されていないので、開口の列よりなるスリットに電線を押し込むだけで、Ｃ環状の保護壁を容易に開き方向に変形させることができ、小さい力で肋骨相当部である保護壁の内側に電線を挿入することができ、その状態で、多数配列された保護壁によって電線を外圧から保護することができる。また、電線から本発明の外装体を取り外す際には、背骨相当部の連結壁を摘んで持ち上げるだけで、容易にＣ環状の保護壁の列を開き方向に変形させることができるので、電線をスリットから小さい力で抜くことができ、外装体を容易に取り外すことができる。従って、電線を噛み込むおそれがなく、電線に対する外装体の脱着作業性の向上が図れ、容易にリサイクルすることができる。
【００１２】
また、実際に成形材料を使用するのは、保護壁の部分と連結壁の部分だけであり、窓状に開口した部分が多いから、使用する材料の減量化及び製品の軽量化を図ることができる。また、隣接する保護壁の間は隙間が開いているので、電線の外周に装着した状態で、その隙間から中の様子を見ることができる。従って、テープ巻きの前に、電線がスリットに噛み込まれていないかどうか等をチェックすることができ、作業の信頼性向上が図れる。
【００１３】
請求項２の発明によれば、開口を挟む両端の近傍でも、保護壁間を連結壁で連結しているので、強度アップが図れると共に、肋骨形状の保護壁の先端のばらつきを防止することができて、スリットを介しての電線の出し入れがスムーズにできるようになる。
【００１４】
請求項３の発明によれば、保護壁を断面山形または断面矩形に形成したので、保護壁の強度アップによる電線保護性能の向上が図れる。また、保護壁の最内周と最外周との間の間隔が開く上に、外部から圧力がかかった際には保護壁の断面の変形によるクッション効果が期待できるので、電線の保護性能が高まる。
【００１５】
請求項４の発明によれば、断面山形または断面矩形の保護壁の開口を外側に開いた拡開形状に形成しているので、開口の列よりなるスリットから電線を保護壁の内側に容易に挿入することができるようになる。また、いったん保護壁の内側に電線を挿入すると、開口の内周側が狭まっていることにより、電線を抜けにくく保持することができる。
【００１６】
請求項５の発明によれば、山部と谷部が連続するコルゲートチューブの谷部の不要部分を削除して窓部を形成した構成にしているので、通常のコルゲートチューブの形状の一部の設計変更で作成することができ、容易に実現可能である。
【発明を実施するための最良の形態】
【００１７】
以下、本発明の実施形態を図面を参照しながら説明する。
【００１８】
図１は実施形態の電線保護用の外装体の斜視図、図２（ａ）は図１のＩＩａ矢視図（上面図）、図２（ｂ）は図２（ａ）のＩＩｂ部の拡大図、図３（ａ）は図１のＩＩＩａ矢視図（側面図）、図３（ｂ）は図３（ａ）のＩＩＩｂ部の拡大断面図、図４（ａ）は図３のＩＶａ−ＩＶａ矢視断面図、図４（ｂ）は図４（ａ）の要部（谷部）だけを取り出して示す図である。
【００１９】
この外装体１０は、周方向の一部に開口１５ａを有するＣ環状の細幅薄板状の保護壁１１を、開口１５ａの位置を揃えて一定間隔で多数配列すると共に、隣接する保護壁１１間を、開口１５ａと反対側の位置に配した薄板状の連結壁１２により連結し、それにより連結壁１２で連結された部分を背骨相当部Ｓ、多数配列された保護壁１１を肋骨相当部、開口１５ａの列をスリット１５とする骨格形状に構成したものである。
【００２０】
隣接する保護壁１１は、開口１５ａを挟む両端の近傍に配した、背骨相当部Ｓを構成する連結壁１２とは別の連結壁１３によっても連結してある。各保護壁１１は、幅方向の中央部が外方に凸となった断面山形または外方に凸の断面矩形に形成してある。
【００２１】
また、スリット１５を構成する断面山形または断面矩形の保護壁１１の開口１５ａは、図４（ａ）に示すように、外周側が内周側より大きく開いた拡開形状に形成してある。つまり、角度θ＞０°となっている。
【００２２】
この実施形態の外装体１０は、実際には、コルゲートチューブを一部設計変更して構成されている。具体的には、山部Ｙと谷部Ｔとが交互に長さ方向に連続して設けられると共に、周方向の一部に、長さ方向に連続したスリット１５が設けられたスリット付きコルゲートチューブの山部Ｙで前記保護壁１１を構成し、前記谷部Ｔの不要部分を窓部１４の形成のために削除した残りの部分で前記連結壁１２、１３を構成している。
【００２３】
また、図２（ａ）に示すように、連結壁１２の両端１２ａには、Ｒが付いている。また、図３（ｂ）に示すように、谷部Ｔで構成される連結壁１２は、断面が湾曲形状に形成されている。このように、連結壁１２の両端にＲが付いていること、また、連結壁１２の断面が湾曲形状になっていることにより、外装体１０が反り返るような屈曲の仕方をした場合にも、連結壁１２が極度に曲がり過ぎないようにすることができ、曲がり過ぎによる樹脂の白化を防止することができる。
【００２４】
この外装体１０によれば、多数の保護壁１１が、隣り合うもの同士の間に間隔を保って配されていることで、背骨相当部Ｓ以外ではあまり拘束されていないので、開口１５ａの列よりなるスリット１５に電線を押し込むだけで、Ｃ環状の保護壁１１を容易に開き方向に変形させることができ、小さい力で肋骨相当部である保護壁１１の内側に電線を挿入することができ、その状態で、多数配列された保護壁１１によって電線を外圧から保護することができる。
【００２５】
また、電線から外装体１０を取り外す際には、背骨相当部Ｓの連結壁１２をフック等で持ち上げるだけで、容易にＣ環状の保護壁１１の列を開き方向に変形させることができるので、電線をスリット１５から小さい力で抜くことができ、外装体１０を容易に取り外すことができる。従って、電線を噛み込むおそれがなく、電線に対する外装体１０の脱着作業性の向上が図れ、容易に電線のリサイクルを図ることができる。
【００２６】
また、実際に成形材料を使用するのは、保護壁１１の部分と連結壁１２、１３の部分だけであり、窓部１４として開口した部分が多いから、使用する材料の減量化及び製品の軽量化を図ることができる。また、隣接する保護壁１１の間は窓部１４が開いているので、電線の外周に装着した状態で、その窓部１４から中の様子を見ることができる。従って、テープ巻きの前に、電線がスリット１５に噛み込まれていないかどうか等をチェックすることができ、作業の信頼性向上が図れる。
【００２７】
また、開口１５ａを挟む両端の近傍でも、保護壁１１間を連結壁１３で連結しているので、強度アップが図れると共に、肋骨形状の保護壁１１の先端のばらつきを防止することができて、スリット１５を介しての電線の出し入れがスムーズにできるようになる。
【００２８】
また、保護壁１１は断面山形または断面矩形に形成してあるので、保護壁１１の強度アップによる電線保護性能の向上が図れる。また、保護壁１１の最内周と最外周との間の間隔が開く上に、外部から圧力がかかった際には保護壁１１の断面の変形によるクッション効果が期待できるので、電線の保護性能がより高まる。
【００２９】
また、断面山形または断面矩形の保護壁１１の開口１５ａを外側に開いた拡開形状に形成しているので、開口１５ａの列よりなるスリット１５から電線を保護壁１１の内側に容易に挿入することができるようになる。また、いったん保護壁１１の内側に電線を挿入すると、開口１５ａの内周側が狭まっていることにより、電線を抜けにくく保持することができる。
【００３０】
また、この外装体１０は、山部Ｙと谷部Ｔが連続するコルゲートチューブの谷部Ｔの不要部分を削除して窓部１４を形成した構成にしているので、通常のコルゲートチューブの形状の一部の設計変更で作成することができ、容易に実現可能である。
【００３１】
なお、上記実施形態では、隣接する保護壁１１は、開口１５ａを挟む両端の近傍に配した、背骨相当部Ｓを構成する連結壁１２とは別の連結壁１３によっても連結してあるが、別の連結壁１３を備えていても、備えていなくても良い。また、上記実施形態の外装体１０は、コルゲートチューブを基本形状にして作成しているが、本発明の外装体は、山部と谷部が連続するコルゲートチューブ状のものでなくてもよく、肋骨状に並んだ多数の保護壁と、背骨状に保護壁を繋ぐ連結壁とを備える骨格形状のものであれば、どのようなものでも良い。
【図面の簡単な説明】
【００３２】
【図１】本発明の実施形態の斜視図である。
【図２】（ａ）は図１のＩＩａ矢視図、（ｂ）は（ａ）のＩＩｂ部の拡大図である。
【図３】（ａ）は図１のＩＩＩａ矢視図、（ｂ）は（ａ）のＩＩＩｂ部の拡大断面図である。
【図４】（ａ）は図３のＩＶａ−ＩＶａ矢視断面図、（ｂ）は（ａ）の要部（谷部）だけを取り出して示す図である。
【図５】従来のコルゲートチューブの構成図で、（ａ）は側面図、（ｂ）は正面図である。
【符号の説明】
【００３３】
１０  電線保護用の外装体
１１  保護壁
１２  連結壁
１３  連結壁
１４  窓部
１５  スリット
１５ａ  開口
Ｙ  山部
Ｔ  谷部
Ｓ  背骨相当部
Ｒ  連結部
【図１】
2009017683.tif 000003
【図２】
2009017683.tif 000004
【図３】
2009017683.tif 000005
【図４】
2009017683.tif 000006
【図５】
2009017683.tif 000007